(57)【要約】【課題】一対の接点調整用切欠部の底縁およびその近傍に発生する応力集中を抑制しつつ、所望の固定接点および可動接点間の圧力を得ることができる接点構造およびこの接点構造を備えた電磁継電器を提供すること。【解決手段】接点構造が、固定接点を有する固定接触片と、固定接点に対向しかつ接触可能な可動接点（２１）が設けられていると共に固定接触片と並列にかつ固定接触片に対して電気的に独立して設けられ、弾性変形可能な板状の可動接触片（２０）と、を備える。可動接触片（２０）が、固定接点に対向する板面に、可動接点（２１）の中心を通る板面上の第１仮想直線（Ｌ１）に対して対称に配置された一対の接圧調整用切欠部（２３）と、板面に、第１仮想直線（Ｌ１）に対して対称にかつ一対の接圧調整用切欠部（２３）の底縁（２３４）の各々に接続されるようにそれぞれ配置され、板面上の面積が一対の接圧調整用切欠部（２３）の各々よりも小さくなるようにそれぞれ設けられた一対の物性調整用切除部（２４）と、を有する。【選択図】図３
2018106851.tif 000002
【特許請求の範囲】
【請求項１】
固定接点を有する固定接触片と、
前記固定接点に対向しかつ接触可能な可動接点が設けられていると共に前記固定接触片と並列にかつ前記固定接触片に対して電気的に独立して設けられ、弾性変形可能な板状の可動接触片と、
を備え、
前記可動接触片が、
前記固定接点に対向する板面に、前記可動接点の中心を通る前記板面上の第１仮想直線に対して対称に配置された一対の接圧調整用切欠部と、
前記板面に、前記第１仮想直線に対して対称にかつ一対の前記接圧調整用切欠部の底縁の各々に接続されるようにそれぞれ配置され、前記板面上の面積が一対の前記接圧調整用切欠部の各々よりも小さくなるようにそれぞれ設けられた一対の物性調整用切除部と、
を有する、接点構造。
【請求項２】
前記可動接触片が、矩形板状を有し、
前記第１仮想直線が、前記可動接触片の長手方向に延びている、請求項１に記載の接点構造。
【請求項３】
前記物性調整用切除部が、
前記可動接触片の長手方向に延び、かつ、前記接圧調整用切欠部から離れるに従って前記第１仮想直線に接近するように前記第１仮想直線に対して傾斜している溝形状を有する、請求項２に記載の接点構造。
【請求項４】
前記接圧調整用切欠部が、前記可動接触片の長手方向に延びる溝形状を有し、
前記接圧調整用切欠部と前記物性調整用切除部との境界において、前記物性調整用切除部が、前記接圧調整用切欠部よりも小さい溝幅を有する、請求項３に記載の接点構造。
【請求項５】
前記物性調整用切除部の溝幅が、前記可動接触片の力点を通る第２仮想直線における前記接圧調整用切欠部の長さよりも小さい、請求項３に記載の接点構造。
【請求項６】
前記板面に、前記第１仮想直線に対して対称にかつ一対の前記接圧調整用切欠部の各々から離れて配置され、前記板面上の面積が一対の前記接圧調整用切欠部の各々よりも小さくなるようにそれぞれ設けられた一対の追加物性調整用切除部をさらに備える、請求項１から５のいずれか１つに記載の接点構造。
【請求項７】
請求項１から６のいずれか１つに記載の接点構造を備える電磁継電器。
【発明の詳細な説明】
【技術分野】
【０００１】
本発明は、接点構造およびそれを用いた電磁継電器に関する。
【背景技術】
【０００２】
特許文献１には、電磁継電器の接触片構造が開示されている。この接触片構造は、固定接点を有する固定接触片と、この固定接点に対向しかつ接触可能な可動接点を有する可動接触片とを備えている。
【０００３】
前記接触片構造では、矩形板状の可動接触片の長手方向の一端部に可動接点が配置され、可動接点に近い可動接触片の長手方向の端部から長手方向に延びる一対の切除部が設けられている。そして、この一対の切除部は、可動接点の中心を通り可動接触片の長手方向に延びる仮想直線に対して対称に設けられている。
【先行技術文献】
【特許文献】
【０００４】
【特許文献１】特開２０００−１４９７４９号公報
【発明の概要】
【発明が解決しようとする課題】
【０００５】
前記接触片構造では、一対の切除部を設けることにより、可動接点が固定接点に接触した場合の弾性係数を小さくでき、可動接点を小さくしても所望の固定接点および可動接点間の圧力を得ることができるようになっている。
【０００６】
しかし、前記接触片構造では、一対の除去部により所望の固定接点および可動接点間の圧力を得ることができるが、一対の除去部を設けたことにより可動接触片に発生する応力集中を抑制することは困難であった。
【０００７】
そこで、本発明は、一対の接点調整用切欠部の底縁およびその近傍に発生する応力集中を抑制しつつ、所望の固定接点および可動接点間の圧力を得ることができる接点構造およびこの接点構造を備えた電磁継電器を提供することを課題とする。
【課題を解決するための手段】
【０００８】
本発明の一態様の接点構造は、
固定接点を有する固定接触片と、
前記固定接点に対向しかつ接触可能な可動接点が設けられていると共に前記固定接触片と並列にかつ前記固定接点側端子に対して電気的に独立して設けられ、弾性変形可能な板状の可動接触片と、
を備え、
前記可動接触片が、
前記固定接点に対向する板面に、前記可動接点の中心を通る前記板面上の第１仮想直線に対して対称に配置された一対の接圧調整用切欠部と、
前記板面に、前記第１仮想直線に対して対称にかつ一対の前記接圧調整用切欠部の底縁の各々に接続されるようにそれぞれ配置され、前記板面上の面積が一対の前記接圧調整用切欠部の各々よりも小さくなるようにそれぞれ設けられた一対の物性調整用切除部と、
を有する。
【０００９】
本発明の一態様の電磁継電器は、
前記接点構造を備える。
【発明の効果】
【００１０】
前記態様の接点構造によれば、一対の接圧調整用切欠部および一対の物性調整用切除部により、一対の接圧調整用切欠部に発生する応力集中を抑制しつつ、所望の固定接点および可動接点間の圧力を得ることができる。
【００１１】
また、前記態様の電磁継電器によれば、前記接点構造により、一対の接圧調整用切欠部に発生する応力集中を抑制しつつ、所望の固定接点および可動接点間の圧力を得ることができる。
【図面の簡単な説明】
【００１２】
【図１】本発明の一実施形態の接点構造を備えた電磁継電器のカバーを取り外した状態の斜視図。
【図２】図１の電磁継電器の斜視図。
【図３】図１の電磁継電器の可動接点側端子の平面図。
【図４】図１の電磁継電器の可動接触片の他の例（第１の例）を示す平面図。
【図５】図１の電磁継電器の可動接触片の他の例（第２の例）を示す平面図。
【図６】図１の電磁継電器の可動接触片の他の例（第３の例）を示す平面図。
【図７】図１の電磁継電器の可動接触片の他の例（第４の例）を示す平面図。
【図８】図１の電磁継電器の可動接触片の他の例（第５の例）を示す平面図。
【図９】図１の電磁継電器の可動接触片の他の例（第６の例）を示す平面図。
【図１０】図１の電磁継電器の可動接触片の他の例（第７の例）を示す平面図。
【発明を実施するための形態】
【００１３】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１４】
本発明の一実施形態の電磁継電器１は、図１に示すように、固定接点１１を有する導電性の固定接触片１０と、可動接点２１を有する導電性の可動接触片２０とで構成された接点構造を備える。
【００１５】
図２に示すように、固定接触片１０および可動接触片２０は、一例として、絶縁性を有するハウジング２の内部に収容されている。このハウジング２は、矩形板状のベース３０（図１に示す）と、このベース３０の上面を覆う略矩形箱状のカバー４０（図２に示す）とで構成されている。
【００１６】
固定接触片１０は、図１に示すように、板状を有し、ベース３０の上面の長手方向の第１端部３１に固定され、ベース３０の短手方向に沿って延びるように配置されている。固定接触片１０の上端部かつ板面の第２端部３２側には、固定接点１１が固定されている。また、固定接触片１０の下端部には、ベース３０の底面からそれぞれ突出する一対の固定接点側端子１２が接続されている。
【００１７】
可動接触片２０は、図１に示すように、板状を有し、ベース３０の上面の長手方向の固定接触片１０よりも第２端部３２側に固定され、固定接触片１０と並列に配置されている。この可動接触片２０は、弾性変形可能に構成され、固定接触片１０に対して電気的に独立している。可動接触片２０の上端部かつ板面の第１端部３１側には、固定接点１１に対向しかつ接触可能な可動接点２１が固定されている。また、可動接触片２０の下部には、ベース３０の底面からそれぞれ突出する一対の可動接点側端子２２（図１では一方のみ示す）が接続されている。
【００１８】
また、ベース３０には、ベース３０の第２端部３２から可動接触片２０の近傍まで延びる電磁石部５０が設けられている。電磁石部５０の第２端部３２側には、ベース３０の底面からそれぞれ突出する一対のコイル端子５１（図１では一方のみ示す）が設けられている。
【００１９】
電磁石部５０のベース３０の第１端部３１側の端部には、絶縁カバー５２が設けられている。電磁石部５０のベース３０の第２端部３２側の端部には、板状の可動鉄片５３が設けられている。可動鉄片５３は、ベース３０の短手方向に延びるように配置され、その下端部がベース３０に回動可能に固定されている。この可動鉄片５３は、電磁石部５０に電流が供給されると、ベース３０の長手方向に沿って第２端部３２側から第１端部３１側に向かって回動し、電磁石部５０への電流の供給が停止すると、ベース３０の長手方向に沿って第１端部３１側から第２端部３２側に向かって回動する。
【００２０】
また、電磁石部５０の上側には、ベース３０の長手方向に延びるカード５４が設けられている。このカード５４は、ベース３０の第１端部３１側の端部が可動接触片２０の上端部に固定され、ベース３０の第２端部３２側の端部が可動鉄片５３の上端部に固定されている。
【００２１】
すなわち、復帰状態（固定接点１１と可動接点２１とが開離した状態）の電磁継電器１において、電磁石部５０に電流を供給すると、可動鉄片５３およびカード５４を介して、可動接触片２０がベース３０の長手方向に沿って第２端部３２側から第１端部３１側に向かって押圧される。これにより、可動接点２１が固定接点１１に接触し、電磁継電器１が復帰状態から動作状態（固定接点１１と可動接点２１とが接触した状態）になる。
【００２２】
また、電磁石部５０への電流の供給を停止すると、可動鉄片５３およびカード５４を介した可動接触片２０への押圧が解除され、可動接触片２０が自身の弾性力によりベース３０の長手方向に沿って第１端部３１側から第２端部３２側に移動する。これにより、可動接点２１が固定接点１１から開離して、電磁継電器１が動作状態から復帰状態に復帰する。
【００２３】
続いて、図３を参照して、可動接触片２０をより詳細に説明する。
【００２４】
図３に示すように、可動接触片２０は、上下方向が左右方向よりも長い長尺板状を有すると共に、板面視（図３の紙面貫通方向に沿った平面視）において可動接点２１の中心を通りかつ可動接触片２０の長手方向に延びる可動接触片２０の板面上の第１仮想直線Ｌ１に対して対称な形状を有している。
【００２５】
可動接触片２０の下端部には、４つの固定部２６が設けられており、この固定部２６を介して、可動接触片２０と、一対の可動接点側端子２２が設けられた端子部２５とが接続されている。また、可動接触片２０の可動接点２１と固定部２６との間の固定部２６に近い部分には、板面視において略矩形の貫通孔２７が設けられている。
【００２６】
可動接点２１の可動接触片２０の短手方向の両側には、一対の接圧調整用切欠部２３と、一対の物性調整用切除部２４とが設けられている。前述の通り、一対の接圧調整用切欠部２３および一対の物性調整用切除部２４は、第１仮想直線Ｌ１に対して対称に配置されている。
【００２７】
各接圧調整用切欠部２３は、可動接触片２０の上端から可動接触片２０の長手方向の下向きに延びる溝形状を有し、可動接触片２０の上端に接続されて可動接触片２０の外部と繋がっている第１の部分２３１と、第１の部分２３１に連続する第２の部分２３２と、第２の部分２３２に連続する第３の部分２３３とで構成されている。各接圧調整用切欠部２３の第３の部分２３３には、物性調整用切除部２４が接続されている。
【００２８】
第１の部分２３１は、一定の幅（図３の左右方向の長さ）を有し、可動接触片２０の上端から第１仮想直線Ｌ１に沿って可動接点２１の略中央まで延びている。
【００２９】
第２の部分２３２は、第１の部分２３１の下端から可動接点２１の下端縁近傍まで延びている。この第２の部分２３２の第１仮想直線Ｌ１に近い方の側部（以下、近側部という）は、第１の部分２３１の近側部の下端から可動接触片２０の長手方向の下側に向かうに従って第１仮想直線Ｌ１に接近するように傾斜している。また、第２の部分２３２の第１仮想直線Ｌ１から遠い方の側部（以下、遠側部という）は、第１の部分２３１の遠側部の下端から第１仮想直線Ｌ１に平行に延びている。
【００３０】
第３の部分２３３は、第２の部分２３２の下端から可動接触片２０の長手方向の略中央まで延びている。この第３の部分２３３の近側部は、第２の部分２３２の近側部から第１仮想直線Ｌ１に平行に延びている。また、第３の部分２３３の遠側部は、第２の部分の遠側部の下端から、第１の部分２３１および第２の部分２３２の遠側部よりも第１仮想直線Ｌ１から離れる方向に延びた後、第１仮想直線Ｌ１に平行に延びている。第３の部分２３３の近側部の下端と遠側部の下端とは、各接圧調整用切欠部２３の底縁部２３４により接続されており、この底縁部２３４に物性調整用切除部２４が接続されている。
【００３１】
各物性調整用切除部２４は、一対の接圧調整用切欠部２３の各底縁部２３４に接続されるように配置され、可動接触片２０の板面上における面積が、各接圧調整用切欠部２３よりも小さくなるように設けられている。
【００３２】
詳しくは、各物性調整用切除部２４は、各接圧調整用切欠部２３の切欠底（底縁）である底縁部２３４の第１仮想直線Ｌ１に近い端部から可動接触片２０の長手方向の下向きに第１仮想直線Ｌ１に沿って延びる溝形状を有し、各接圧調整用切欠部２３の底縁部２３４よりも小さい一定の溝幅を有している。すなわち、各物性調整用切除部２４は、各接圧調整用切欠部２３との境界において、各接圧調整用切欠部２３よりも小さい溝幅を有している。
【００３３】
また、各物性調整用切除部２４の溝幅は、可動接触片２０の力点を通る第２仮想直線Ｌ２における各接圧調整用切欠部２３の長さよりも小さい。可動接触片２０では、図１に示すように、各接圧調整用切欠部２３よりも可動接触片２０の短手方向の外側に位置する部分である一対の駆動部２０２がカード５４により押圧される。このとき、可動接触片２０は弾性を有するため、各接圧調整用切欠部２３の第２の部分２３２と第３の部分２３３との境界近傍が力点となり、固定部２６が支点となり、可動接点２１が作用点となる。
【００３４】
なお、本実施形態では、可動接触片２０の板厚を０．１５ｍｍとしている。この場合、各物性調整用切除部２４は、０．１ｍｍ以上の溝幅を有するように設けるのが好ましい。これは、各物性調整用切除部２４の溝幅が０．１ｍｍ未満である場合、加工が困難であるからである。
【００３５】
また、本実施形態では、各物性調整用切除部２４が、各接圧調整用切込部２３の第３の部分２３３の第１仮想直線Ｌ１に直交する方向の最大溝幅の約２５％の溝幅を有するように構成しているが、各物性調整用切除部２４の溝幅は、第３の部分２３３の最大溝幅の９５％以下であるのが好ましい。これは、各物性調整用切除部２４の溝幅が、第３の部分２３３の溝幅の９５％を超えると、各接圧調整用切欠部２３により調整された固定接点１１および可動接点２１間の圧力に大きな影響を与えてしまい、所望の固定接点１１および可動接点２１間の圧力を得るのが困難になるからである。
【００３６】
前記接点構造では、一対の接圧調整用切欠部２３に加えて、一対の物性調整用切除部２４を設けている。一対の接圧調整用切欠部２３を設けることにより、可動接点２１が固定接点１１に接触した場合における可動接触片２０の一対の接圧調整用切欠部２３に挟まれた部分である接点部２０１のばね弾性係数を低減することができる。また、一対の物性調整用切除部２４を設けることにより、一対の接圧調整用切欠部２３の各底縁部２３４およびその近傍に発生する応力集中を抑制することができる。すなわち、一対の物性調整用切除部２４により、一対の接点調整用切欠部２３の各底縁部２３４およびその近傍に発生する応力集中を抑制しつつ、一対の接圧調整用切欠部２３により、所望の固定接点１１および可動接点２１間の圧力を得ることができる。
【００３７】
また、可動接触片２０が矩形板状を有し、第１仮想直線Ｌ１が可動接触片２０の長手方向に延びている。これにより、第１仮想直線Ｌ１が可動接触片２０の短手方向に延びている場合と比較して、一対の接圧調整用切欠部２３および一対の物性調整用切除部２４の調整しろを大きくすることができる。
【００３８】
また、各接圧調整用切欠部２３が、可動接触片２０の長手方向に延びる溝形状を有し、接圧調整用切欠部２３と物性調整用切除部２４との境界において、各物性調整用切除部２４が、各接圧調整用切欠部２３よりも小さい溝幅を有している。これにより、可動接点２１が固定接点１１に接触した際のばね弾性係数を減少させつつ、各接圧調整用切欠部２３の底縁部２３４およびその近傍に発生する応力集中を抑制することができる。
【００３９】
また、各物性調整用切除部２４の溝幅が、可動接触片２０の力点を通る第２仮想直線Ｌ２における接圧調整用切欠部２３の長さよりも小さくなっている。これにより、各接圧調整用切欠部２３を設けることにより得られた所望の固定接点１１および可動接点２１間の圧力に影響を及ぼすことなく、各接圧調整用切欠部２３の底縁部２３４およびその近傍に発生する応力集中を抑制することができる。
【００４０】
さらに、前記電磁継電器１では、前記接点構造により、可動接触片２０における応力集中の発生を抑制しつつ、所望の固定接点１１および可動接点２１間の圧力を得ることができる。
【００４１】
なお、一対の接圧調整用切欠部２３を形成する位置、大きさ、および、範囲等を調整することにより、固定接点１１および可動接点２１間の圧力を調整することができる。
【００４２】
また、一対の物性調整用切除部２４を形成する位置、大きさ、および、範囲等を調整することにより、一対の接圧調整用切欠部２３の各底縁部２３４およびその近傍に発生する応力に加えて、可動接点２１が固定接点１１に接触した場合における接点部２０１のばね弾性係数を調整することができると共に、可動接触片２０の電流密度の増加を抑制することができる。
【００４３】
前記電磁継電器１では、一対の物性調整用切除部２４は、各接圧調整用切欠部２３の底縁部２３４の第１仮想直線Ｌ１に近い端部から可動接触片２０の長手方向の下向きに第１仮想直線Ｌ１に沿って延びているが、これに限らない。例えば、図４に示すように、各接圧調整用切欠部２３の底縁部２３４から可動接触片２０の長手方向の下側に向かうに従って第１仮想直線Ｌ１から離れるように、一対の物性調整用切除部２４の各々を構成することができる。これにより、各物性調整用切除部２４が第１仮想直線Ｌ１に沿って延びている場合よりも、各物性調整用切除部２４と貫通孔２７との板面上の距離を大きくして、可動接触片２０の通電経路を大きくすることができる。その結果、可動接触片２０の電流密度の増加を抑制できる。
【００４４】
また、図５に示すように、各接圧調整用切欠部２３の底縁部２３４から第１仮想直線Ｌ１に向かって第１仮想直線Ｌ１に直交する方向に延びるように、一対の物性調整用切除部２４の各々を構成することができる。これにより、可動接点２１が固定接点１１に接触した場合における接点部２０１のばね弾性係数を低減させることができる。
【００４５】
さらに、図６に示すように、各接圧調整用切欠部２３の底縁部２３４から可動接触片２０の長手方向の下側に向かうに従って第１仮想直線Ｌ１に接近するように、一対の物性調整用切除部２４の各々を構成することができる。これにより、可動接点２１が固定接点１１に接触した際のばね弾性係数を減少させつつ、可動接点２１と可動接点側端子２２との間の導通経路を確保することができる。なお、図６の可動接触片２０には、貫通孔２７を省略して設けていない。
【００４６】
また、前記電磁継電器１では、一対の物性調整用切除部２４は、一定の溝幅を有しているが、これに限らない。例えば、図７に示すように、各接圧調整用切欠部２３の底縁部２３４から可動接触片２０の長手方向の下側に向かうに従って溝幅が小さくなるように、一対の物性調整用切除部２４を構成することができる。これにより、各接圧調整用切欠部２３により得られた所望の固定接点１１および可動接点２１間の圧力への影響を抑えながら、一対の接点調整用切欠部２３の各底縁部２３４およびその近傍に発生する応力集中を抑制しつつ、可動接点２１が固定接点１１に接触した際のばね弾性係数を減少させることができる。
【００４７】
また、図８および図９に示すように、一対の物性調整用切除部２４に加えて、一対の追加物性調整用切除部１２４を可動接触片２０に設けてもよい。一対の追加物性調整用切除部１２４は、第１仮想直線Ｌ１に対して対称にかつ一対の接圧調整用切欠部２３の各々から離れて不連続に配置されている。また、一対の追加物性調整用切除部１２４の各々は、可動接触片２０の板面上の面積が一対の接圧調整用切欠部２３の各々よりも小さくなるように設けられている。
【００４８】
図８では、一対の追加物性調整用切除部１２４の各々は、各接圧調整用切欠部２３の底縁部２３４から第１仮想直線Ｌ１に向かって第１仮想直線Ｌ１に直交する方向に延びるように構成されている。また、図９では、一対の追加物性調整用切除部１２４は、一対の接圧調整用切欠部２３の下側に一対の接圧調整用切欠部２３から独立して設けられている貫通孔２７の上縁から可動接触片２０の長手方向の上側に向かって第１仮想直線Ｌ１に沿って延びるように構成されている。このように、一対の物性調整用切除部２４に加えて、一対の追加物性調整用切除部１２４を設けることで、可動接触片２０における応力集中の発生および電流密度の増加をより確実に抑制しつつ、所望の固定接点１１および可動接点２１間の圧力を得ることができる。
【００４９】
可動接触片２０は、図１０に示すように、第１仮想直線Ｌ１が可動接触片２０の短手方向に延びるように構成することもできる。
【００５０】
一対の接圧調整用切欠部２３は、溝形状を有する場合に限らず、可動接点２１の固定接点１１に対する接圧を調整できる任意の形状を採用できる。一対の物性調整用切除部２４も、一対の接圧調整用切欠部２３と同様に、溝形状を有する場合に限らず、可動接触片２０の物性(例えば、可動接点２１が固定接点１１に接触した際の可動接触片２０のばね弾性係数、および、一対の接圧調整用切欠部の底縁およびその近傍に発生する応力)を調整させることができる任意の形状（例えば、切り込み）を採用できる。
【００５１】
以上、図面を参照して本発明における種々の実施形態を詳細に説明したが、最後に、本発明の種々の態様について説明する。
【００５２】
本発明の第１態様の接点構造は、
固定接点を有する固定接触片と、
前記固定接点に対向しかつ接触可能な可動接点が設けられていると共に前記固定接触片と並列に配置されかつ前記固定接触片に対して電気的に独立して設けられ、弾性変形可能な板状の可動接触片と、
を備え、
前記可動接触片が、
前記固定接点に対向する板面に、前記可動接点の中心を通る前記板面上の第１仮想直線に対して対称に配置された一対の接圧調整用切欠部と、
前記板面に、前記第１仮想直線に対して対称にかつ一対の前記接圧調整用切欠部の底縁の各々に接続されるようにそれぞれ配置され、前記板面上の面積が一対の前記接圧調整用切欠部の各々よりも小さくなるようにそれぞれ設けられた一対の物性調整用切除部と、
を有する。
【００５３】
第１態様の接点構造によれば、一対の物性調整用切除部により、一対の接点調整用切欠部の底縁およびその近傍に発生する応力集中を抑制しつつ、一対の接圧調整用切欠部により、所望の固定接点および可動接点間の圧力を得ることができる。
【００５４】
本発明の第２態様の接点構造では、
前記可動接触片が、矩形板状を有し、
前記第１仮想直線が、前記可動接触片の長手方向に延びている。
【００５５】
第２態様の接点構造によれば、第１仮想直線が可動接触片の短手方向に延びている場合と比較して、一対の接圧調整用切欠部および一対の物性調整用切除部の調整しろを大きくすることができる。
【００５６】
本発明の第３態様の接点構造では、
前記物性調整用切除部が、
前記可動接触片の長手方向に延び、かつ、前記接圧調整用切欠部から離れるに従って前記第１仮想直線に接近するように前記第１仮想直線に対して傾斜している溝形状を有する。
【００５７】
第３態様の接点構造によれば、可動接点が固定接点に接触した際のばね弾性係数を減少させ、かつ、一対の接圧調整用切欠部の底縁およびその近傍に発生する応力集中を抑制しつつ、所望の固定接点および可動接点間の圧力を得ることができる。
【００５８】
本発明の第４態様の接点構造では、
前記接圧調整用切欠部が、前記可動接触片の長手方向に延びる溝形状を有し、
前記接圧調整用切欠部と前記物性調整用切除部との境界において、前記物性調整用切除部が、前記接圧調整用切欠部よりも小さい溝幅を有する。
【００５９】
第４態様の接点構造によれば、各接圧調整用切欠部を設けることにより得られた所望の固定接点および可動接点間の圧力に影響を及ぼすことなく、各接圧調整用切欠部の底縁およびその近傍に発生する応力集中を抑制することができる。
【００６０】
本発明の第５態様の接点構造では、
前記物性調整用切除部の溝幅が、前記可動接触片の力点を通る第２仮想直線における前記接圧調整用切欠部の長さよりも小さい。
【００６１】
第５態様の接点構造によれば、接圧調整用切欠部を設けることにより得られた所望の固定接点および可動接点間の圧力に影響を及ぼすことなく、各接圧調整用切欠部の底縁およびその近傍に発生する応力集中を抑制することができる。
【００６２】
本発明の第６態様の接点構造では、
前記板面に、前記第１仮想直線に対して対称にかつ一対の前記接圧調整用切欠部の各々から離れて配置され、前記板面上の面積が一対の前記接圧調整用切欠部の各々よりも小さくなるようにそれぞれ設けられた一対の追加物性調整用切除部をさらに備える。
【００６３】
第６態様の接点構造によれば、可動接触片における応力集中の発生および電流密度の増加をより確実に抑制しつつ、所望の固定接点および可動接点間の圧力を得ることができる。
【００６４】
本発明の第７態様の電磁継電器では、
前記接点構造を備える。
【００６５】
第７態様の電磁継電器によれば、前記接点構造により、所望の固定接点および可動接点間の圧力を得ることができる。
【００６６】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６７】
本発明は、例えば、任意の構成の電磁継電器に適用できる。
【符号の説明】
【００６８】
１  電磁継電器
２  ハウジング
１０  固定接触片
１１  固定接点
１２  固定接点側端子
２０  可動接触片
２０１  接点部
２０２  駆動部
２１  可動接点
２２  可動接点側端子
２３  接圧調整用切欠部
２３１  第１の部分
２３２  第２の部分
２３３  第３の部分
２３４  底縁部
２４  物性調整用切除部
２５  端子部
２６  固定部
２７  貫通孔
３０  ベース
３１  第１端部
３２  第２端部
４０  カバー
５０  電磁石部
５１  コイル端子
５２  絶縁カバー
５３  可動鉄片
５４  カード
１２４  追加物性調整用切除部
Ｌ１  第１仮想直線
Ｌ２  第２仮想直線
【図１】
2018106851.tif 000003
【図２】
2018106851.tif 000004
【図３】
2018106851.tif 000005
【図４】
2018106851.tif 000006
【図５】
2018106851.tif 000007
【図６】
2018106851.tif 000008
【図７】
2018106851.tif 000009
【図８】
2018106851.tif 000010
【図９】
2018106851.tif 000011
【図１０】
2018106851.tif 000012